(57)【要約】　　　（修正有）【課題】サマータイム開始時および終了時においても、時間の移行が容易に分かり、ユーザが間違えることなく、番組を視聴および予約することができるＥＰＧ画面を有する映像信号受信装置を提供する【解決手段】サマータイム開始時は、ＥＰＧ画面に、削除される時間帯を他の時間帯とは異なる背景色で表示して、「Ｄ．Ｓ．Ｔ．」と表示する。さらに、削除される時刻を点滅するとともに、サマータイムの開始時間に「Ｄ．Ｓ．Ｔ．ＳＴＡＲＴ」と表示する。サマータイム終了時は、ＥＰＧ画面に、繰り返される時間帯を示す時刻を点滅するとともに、サマータイム終了時間に「Ｄ．Ｓ．Ｔ．ＥＮＤ」と表示する。また、ユーザが前記削除時間または繰り返し時間に予約を行おうとした場合には、ＥＰＧ画面上に無効な予約であることを表示する。【選択図】図２
2004023268.tif 000002
【特許請求の範囲】
【請求項１】
受信した映像信号を復調する映像生成手段と、前記映像信号に含まれるＥＰＧ情報に基づいてＥＰＧ画像を出力するＥＰＧ画像生成手段と、前記映像と前記ＥＰＧ画像とを、装置本体に対する入力に応じて制御する制御手段と、標準時間、サマータイム時間、標準時間からサマータイム時間に移行するときの開始時間とサマータイム時間から標準時間に移行するときの終了時間とを記憶する時間管理手段と、を備えた映像信号受信装置において、
前記制御手段は、前記時間管理手段に記憶されている時間情報に基づいて、前記ＥＰＧ画像で表示する時間を変更し、万年カレンダに基づいて前記ＥＰＧ画像を標準時間またはサマータイム時間で択一的に表示するとともに、該サマータイム時間で表示を行う場合に、前記サマータイム開始時間と前記サマータイム終了時間とを表示し、さらに
（１）前記サマータイム時間開始時は、削除される時間帯と、視聴／録画を行う時間帯が前記サマータイム時間開始時に削除される時間帯に係る場合に、係る時間帯が存在しないことを前記ＥＰＧ画像に表示する機能、
（２）ユーザからの視聴／録画予約情報に基づいて、視聴／録画予約内容を示す、前記ＥＰＧ画像とは異なる予約内容表示画像を生成し、視聴／録画を行う時間帯がサマータイム時間開始時に削除される時間帯に係る場合に、係る時間帯が存在しないことを、前記予約内容表示画像に表示する機能、
（３）前記サマータイム時間終了時は、サマータイム時間終了時に繰り返される時間帯を連続した時間帯で表示し、該繰り返される時間帯のそれぞれが１回目の時間帯または２回目の時間帯であることと、係る時間帯が繰り返し２度あることと、視聴／録画を行う時間帯が前記サマータイム時間終了時に繰り返される時間帯に係る場合に、係る時間帯に繰り返される、２回の時間帯のいずれかを再指定することとを前記ＥＰＧ画像に表示する機能、
（４）ユーザからの視聴／録画予約情報に基づいて、視聴／録画予約内容を示す、前記ＥＰＧ画像とは異なる予約内容表示画像を生成し、視聴／録画を行う時間帯がサマータイム時間終了時に繰り返される時間帯に係る場合に、係る時間帯が繰り返し２度あることと、係る時間帯に繰り返される、２回の時間帯のいずれかを再指定することとを前記視聴／録画予約内容を示す画像に表示する機能を有することを特徴とする映像信号受信装置。
【請求項２】
受信した映像信号を復調する映像生成手段と、前記映像信号に含まれるＥＰＧ情報に基づいてＥＰＧ画像を出力するＥＰＧ画像生成手段と、前記映像と前記ＥＰＧ画像とを、装置本体に対する入力に応じて制御する制御手段と、標準時間、サマータイム時間、標準時間からサマータイム時間に移行するときの開始時間とサマータイム時間から標準時間に移行するときの終了時間とを記憶する時間管理手段と、を備えた映像信号受信装置において、
前記制御手段は、前記時間管理手段に記憶されている時間情報に基づいて、前記ＥＰＧ画像で表示する時間を変更し、万年カレンダに基づいて前記ＥＰＧ画像を標準時間またはサマータイム時間で択一的に表示する映像信号受信装置。
【請求項３】
前記制御手段は、前記サマータイム時間で表示を行う場合に、前記サマータイム開始時間と前記サマータイム終了時間とを前記ＥＰＧ画像に表示する請求項２に記載の映像信号受信装置
【請求項４】
前記制御手段は、前記時間管理手段に記憶されているサマータイム時間の開始時間に関する情報に基づいて、サマータイム時間開始時に削除される時間帯を前記ＥＰＧ画像に表示する請求項２または請求項３に記載の画像信号受信装置。
【請求項５】
前記制御手段は、視聴／録画を行う時間帯が前記サマータイム時間開始時に削除される時間帯に係る場合に、係る時間帯が存在しないことを前記ＥＰＧ画像に表示する請求項２〜４のいずれかに記載の画像信号受信装置。
【請求項６】
前記制御手段は、ユーザからの視聴／録画予約情報に基づいて、視聴／録画予約内容を示す、前記ＥＰＧ画像とは異なる予約内容表示画像を生成し、視聴／録画を行う時間帯がサマータイム時間開始時に削除される時間帯に係る場合に、係る時間帯が存在しないことを、前記予約内容表示画像に表示する請求項２〜５のいずれかに記載の画像信号受信装置。
【請求項７】
前記制御手段は、前記時間管理手段に記憶されているサマータイム時間の終了時間に関する情報に基づいて、サマータイム時間終了時に繰り返される時間帯を連続した時間帯として、前記ＥＰＧ画像に表示する請求項２〜６のいずれかに記載の画像信号受信装置。
【請求項８】
前記制御手段は、前記時間管理手段に記憶されているサマータイム期間の終了時間に関する情報に基づいて、サマータイム時間終了時に繰り返される時間帯のそれぞれが１回目の時間帯または２回目の時間帯であることを前記ＥＰＧ画像に表示する請求項２〜７のいずれかに記載の画像信号受信装置。
【請求項９】
前記制御手段は、視聴／録画を行う時間帯がサマータイム時間終了時に繰り返される時間帯に係る場合に、係る時間帯が繰り返し２度あることを前記ＥＰＧ画像に表示する請求項２〜８のいずれかに記載の画像信号受信装置。
【請求項１０】
前記制御手段は、視聴／録画を行う時間帯がサマータイム時間終了時に繰り返される時間帯に係る場合に、係る時間帯に繰り返される、２回の時間帯のいずれかを再指定する内容を前記ＥＰＧ画像に表示する請求項２〜請求項９のいずれかに記載の画像信号受信装置。
【請求項１１】
前記制御手段は、ユーザからの視聴／録画予約情報に基づいて、視聴／録画予約内容を示す、前記ＥＰＧ画像とは異なる予約内容表示画像を生成し、視聴／録画を行う時間帯がサマータイム時間終了時に繰り返される時間帯に係る場合に、係る時間帯が繰り返し２度あることを前記予約内容表示画像に表示する請求項２〜１０のいずれかに記載の画像信号受信装置。
【請求項１２】
前記制御手段は、ユーザからの視聴／録画予約情報に基づいて、視聴／録画予約内容を示す、前記ＥＰＧ画像とは異なる予約内容表示画像を生成し、視聴／録画を行う時間帯がサマータイム時間終了時に繰り返される時間帯に係る場合に、係る時間帯に繰り返される、２回の時間帯のいずれかを再指定する内容を前記視聴／録画予約内容を示す画像に表示する請求項２〜１１のいずれかに記載の画像信号受信装置。
【発明の詳細な説明】
【０００１】
【発明の属する技術分野】
この発明は、映像信号を復調して出力するとともに、ＥＰＧ（電子番組プログラム）画像を出力する画像信号受信装置、特にＤ．Ｓ．Ｔ．（デイライトセービングタイム）すなわちサマータイムを採用する地域で使用される画像信号受信装置に関するものである。
【０００２】
【従来の技術】
Ｄ．Ｓ．Ｔ．（Ｄａｙｌｉｇｒｔ　Ｓａｖｉｎｇ　Ｔｉｍｅ：デイライトセービングタイム）とは、１年間を日照時間の長い時期と日照時間の短い時期とに分け、所定の日時を境にそれぞれに時間をずらしたものである。日照時間の長い時期は、所定日の所定時間を１時間進めること（サマータイム時間）で、この日以降の、日の出から１日の活動時間を開始するまでの時間を早め、日の出後の太陽光を有効利用できるようする。一方、日照時間の短い時期は、所定日の所定時間を１時間遅らせて繰り返すことで、元の時間（標準時間）に戻すものである。このサマータイム時間と標準時間との関係を図９に示す。
【０００３】
図９に示すように、サマータイム時間は、標準時間の４月１日のＡＭ２：００を１時間進めて、ＡＭ３：００として、それ以降の時間は標準時間よりも１時間進んだ時間とする。この場合、４月１日のＡＭ２：００〜ＡＭ３：００は削除される。
【０００４】
また、サマータイム時間は、サマータイム時間の１０月１日のＡＭ２：００を２度目のＡＭ１：００とすることで、時間が１時間戻り、標準時間に一致した時間となる。この場合、ＡＭ１：００からＡＭ２：００が繰り返されることとなる。
【０００５】
このように、標準時間とサマータイム時間とが存在することで、その切り替わり時期には、この時間のズレによりさまざまな問題が発生する。
【０００６】
この問題を解決するため、次に示す複数の技術が考案されている。
【０００７】
特許第３２３０７３１号には、サマータイム開始時に削除される時間に、予約の開始時間または終了時間が該当すると警報音を発し、サマータイム終了時の繰り返し時間に予約開始時間または終了時間が該当するとその予約を無効にする時間調整装置が開示されている。
【０００８】
また、特開２００１−６６３８４号公報に、タイマー予約時間を時期に応じて標準時間またはサマータイム時間で設定し、この予約時間がどちらの時間で設定されているかを判別して、前記二つの時間の間のオフセット値を求めておき、このオフセット値に基づいて、常にいずれか一方の時間でタイマー予約を行うタイマー予約装置が開示されている。
【０００９】
また、特開２００１−８３２６８号公報に、予めアラームが鳴動する時間を設定しておき、標準時間からサマータイム時間に移行する際や、サマータイム時間から標準時間に移行する際に、設定時間を新しい時間（移行後の時間）に自動で設定しなおす電話装置が開示されている。
【００１０】
また、特開２００１−４２０６７号公報に、予め定めた第１の特定日に所定時間だけ時間を進ませ、予め定めた第２の特定日に所定時間だけ時間を遅らせる電化製品および空調装置が開示されている。
【００１１】
ところで、現在、映像信号のディジタル化などにより、これまでより多くの放送局からの映像を同時に送受信することができるようになり、多チャンネル化が進んでいる。これとともに、多くのチャンネルの番組を一度に、表示器の画面で見ることができるＥＰＧ（電子番組プログラム）が普及しつつある。
【００１２】
ＥＰＧ（電子番組プログラム）は、所定の期間の番組情報（チャンネルや放映時間帯）が画像信号として送信され、映像信号受信装置で、この画像信号を受信して復調し、図１０に示すような表示画面を得るものである。
【００１３】
ＥＰＧ画面は、図１０に示すように、時間割表示枠１００において、時間軸を横方向に採り、縦方向に複数のチャンネルを設定し、各チャンネルでの番組時間割を横方向に時系列で表示する。このようにして、複数のチャンネルの番組時間割を一覧する。また、ユーザが所定の入力方法により、視聴または録画したい番組をＥＰＧ画面で選択することで、番組時間割でユーザが指示した番組の内容が内容表示枠１０１で表示される。ユーザは、内容表示枠１０１を見ることで番組内容を確認する。また、ユーザが所定の入力を行い録画予約すると、その内容が内容表示枠１０２に表示される。また、これらの画面枠１００，１０１と同時に、ユーザが現在選択している番組を表示する映像表示枠１０２を有する場合もある。
【００１４】
【発明が解決しようとする課題】
しかしながら、ＥＰＧ画面に表示される番組の時間情報は標準時間とサマータイム時間との区別がなく、一方の時間（例えば、標準時間）のみであり、例えば、ある番組が標準時間で何時から始まって何時間放映されるという情報が送信されてくるだけである。映像信号受信装置は、この信号を復調し、図１０に示したＥＰＧ画面を出力しなければならない。
【００１５】
このため、標準時間からサマータイム時間に切り替わる時点で、図１１（ａ），（ｂ）に示すようにＥＰＧ画面の表示時間を標準時間（ＤＳＴ　ＯＦＦ）のままにしておくと、時間切り替わり後において、ユーザが生活する他の時間はＥＰＧ画面の表示時間より１時間進んでいる。このため、ＥＰＧ画面を見て放映時間を確認しても、万年カレンダに則した時間とＥＰＧ表示時間との差分だけ番組のタイムスケジュールが異なり、ユーザが意図した番組を見ることができなくなってしまう。
【００１６】
一方、サマータイム時間が終了し、標準時間に移行する時点で、図１２（ａ），（ｂ）に示すようにＥＰＧ画面を標準時で表示していると、移行前の時点では、ユーザが生活する他の時間は１時間進んでいる。このため、ＥＰＧ画面を見て放映時間を確認しても、万年カレンダに則したとＥＰＧ表示時間との差分だけ番組のタイムスケジュールが異なり、ユーザが意図した番組を見ることができなくなってしまう。
【００１７】
これらの原因により、従来は、サマータイム開始時および終了時において、どちらの時間を表示しているかが容易に分からず、サマータイム時間と標準時間との区別ができなくなってしまい、ユーザが混乱してしまう可能性があった。
【００１８】
このような課題について、従来技術で述べた上記４個の技術（発明）は何ら解決する方法を開示していない。
【００１９】
この発明の目的は、サマータイム開始時および終了時においても、時間の移行が容易に分かり、ユーザが間違えることなく、番組を視聴および予約することができるＥＰＧ画面を有する映像信号受信装置を提供することにある。
【００２０】
【課題を解決するための手段】
上記の課題を解決するため、この発明に示す映像信号受信装置は、受信した映像信号を復調する映像生成手段と、映像信号に含まれるＥＰＧ情報に基づいてＥＰＧ画像を出力するＥＰＧ画像生成手段と、映像とＥＰＧ画像とを、装置本体への入力に応じて制御する制御手段と、標準時間とサマータイム時間と標準時間からサマータイム時間に移行するときの開始時間とサマータイム時間から標準時間に移行するときの終了時間とを記憶する時間管理手段を備え、制御手段が、時間管理手段に記憶されているサマータイムの開始時間および終了時間に基づいて、ＥＰＧ画像で表示する時間を変更し、ＥＰＧ画像を標準時間またはサマータイム時間で択一的に表示し、サマータイム時間で表示を行う場合に、サマータイム開始時間とサマータイム終了時間とを表示することを特徴としている。
【００２１】
この構成では、標準時間からサマータイム時間への移行、およびサマータイムから標準時間への移行の際に、ＥＰＧ画像の時間を変更して表示するとともに、サマータイム時間と標準時間との境界となる時間を表示することで、容易にサマータイム時間と標準時間との切り替え時間が判別される。
【００２２】
また、この発明は、制御手段が、時間管理手段に記憶されているサマータイム時間の開始時間に関する情報に基づいて、サマータイム時間開始時に削除される時間帯を前記ＥＰＧ画像に表示することを特徴としている。
【００２３】
この構成では、標準時間からサマータイム時間に移行する際に、ＥＰＧ画像に削除されるＡＭ２：００からの１時間を表示しておき、この時間帯が他の時間帯と異なる時間帯であり、実際には存在しない時間帯であることが容易に判別される。
【００２４】
また、この発明は、ユーザにより視聴／録画を行う時間帯が削除される時間帯に係る場合に、制御手段が係る時間帯が存在しないことをＥＰＧ画像に表示することを特徴としている。
【００２５】
この構成では、ユーザがサマータイム開始時点で削除される時間帯に、視聴や録画の予約を行っても、無効となることが表示されるので、予約が無効であり、再予約する必要があることが容易に分かる。
【００２６】
またこの発明は、ユーザからの視聴／録画予約情報に基づいて、視聴／録画予約内容を示す、前記ＥＰＧ画像とは異なる予約内容表示画像を生成し、視聴／録画を行う時間帯がサマータイム時間開始時に削除される時間帯に係る場合に、係る時間帯が存在しないことを、予約内容表示画像に表示することを特徴としている。
【００２７】
この構成では、ユーザから視聴や録画の予約を受けると、これに応じた予約内容を表示する画面を生成することで、ユーザが予約内容を確認する。ここで、予約内容がサマータイム開始時の削除される時間帯に係る場合には、制御部がこの内容を表示することで、予約内容が無効であり、再予約する必要があることが容易に分かる。
【００２８】
また、この発明は、時間管理手段に記憶されているサマータイム時間の終了時間に関する情報に基づいて、サマータイム時間終了時に繰り返される時間帯を連続した時間帯として、ＥＰＧ画像に表示する。また、繰り返される時間帯のそれぞれが１回目の時間帯または２回目の時間帯であることを前記ＥＰＧ画像に表示することを特徴としている。
【００２９】
この構成では、サマータイム時間から標準時間に移行する際に、ＥＰＧ画像に繰り返されるＡＭ１：００〜ＡＭ２：００を連続して表示しておき、それぞれの時間帯に１回目、２回目であることを表示することで、同じ時間が２回繰り返されていることが容易に判別される。
【００３０】
また、この発明は、視聴／録画を行う時間帯がサマータイム時間終了時に繰り返される時間帯に係る場合に、係る時間帯が繰り返し２度あることと、係る時間帯に繰り返される２回の時間帯のいずれかを再指定すること、をＥＰＧ画像に表示することを特徴としている。
【００３１】
この構成では、視聴や録画の予約時間帯が、サマータイム時間終了時に繰り返される時間帯に係ることで、１回目、２回目のいずれの時間帯を指定しているかが明確でなくなることを表示し、再指定する必要があることが容易に分かる。
【００３２】
また、この発明は、ユーザからの視聴／録画予約情報に基づいて、視聴／録画予約内容を示す予約内容表示画像を生成し、視聴／録画を行う時間帯がサマータイム時間終了時に繰り返される時間帯に係る場合に、係る時間帯が繰り返し２度あることと、係る時間帯に繰り返される、２回の時間帯のいずれかを再指定することとを予約内容表示画像に表示することを特徴としている。
【００３３】
この構成では、視聴や録画の予約時間帯が、サマータイム時間終了時に繰り返される時間帯に係ることで、１回目、２回目のいずれの時間帯を指定しているかが明確でなくなることを表示し、再指定する必要があることが容易に分かる。
【００３４】
【発明の実施の形態】
本発明の実施形態に係る映像信号受信装置について、図を参照して説明する。
【００３５】
図１は映像信号受信装置の概要を表すブロック図である。
【００３６】
図１に示すように、映像信号受信装置１は、信号抽出部２、アナログ映像復調部３、ディジタル映像復調部４、ＥＰＧ画像生成部５、映像出力部６、時間管理部７、命令入力部８および制御部９からなる。
【００３７】
信号抽出部２は、この入力端子に接続するアンテナで受信する複数の映像信号（チャンネル）のうち、表示器に表示すべき映像が含まれている信号（チャンネル）を抽出する。ここで、抽出すべきチャンネルは制御部９から指定されており、ユーザは、所定の方法で命令入力部８（例えば、リモコンなど）を操作することで、制御部９にチャンネルを指定する。信号抽出部２で抽出された信号は、アナログ信号であれば、アナログ映像復調部３に出力され、ディジタル信号であれば、ディジタル映像復調部４に出力される。
【００３８】
抽出された信号がアナログ信号であれば、アナログ映像復調部３は、これを復調して映像を形成し、映像出力部６に出力する。一方、抽出された信号がディジタル信号であれば、ディジタル映像復調部４は、これを復調して映像を形成し、映像出力部６に出力する。
【００３９】
ＥＰＧ画像生成部５は、アンテナで受信した信号に含まれているＥＰＧ情報を抽出し、ＥＰＧ画像を生成して映像出力部６に出力する。
【００４０】
映像出力部６は、アナログ映像復調部３またはディジタル映像復調部４で生成された映像と、ＥＰＧ画像生成部５で生成されたＥＰＧ画像とを合成して表示器に出力する。
【００４１】
時間管理部７は、万年カレンダを内蔵しており、この万年カレンダに基づいてサマータイムの開始日時と終了日時、および標準時間とサマータイム時間との時差を記憶している。また、万年カレンダは、標準時間を計時し、サマータイムの開始時間になると、時間を１時間早め、サマータイム終了時間になると、所定の１時間を繰り返すことで時間遅らせて標準時間に戻す。そして、所定の日時になると、このような時間に関する情報を制御部９に出力する。
【００４２】
命令入力部８は、ユーザがチャンネルの切り替えや、視聴／録画予約を行う際に、所定の方法で予約内容を入力することで、この命令を制御部９に出力する。ユーザは、装置正面に設けられた各設定ボタンやリモコンを押すことで、これらの命令を入力する。
【００４３】
制御部９は、入力された命令に基づいて、指定のチャンネルを表示するように、信号抽出部２に命令を送る。また、時計管理部７からの指示により、サマータイム開始時には、映像やＥＰＧ画像の時間表示をサマータイム時間に変更する。
【００４４】
このようにして、映像信号受信装置１は、所望の映像を抽出して、復調し、表示器に出力するととも、ＥＰＧ画像を出力する。
【００４５】
次に、サマータイム開始時のＥＰＧ画像の表示方法について、図を参照して説明する。
【００４６】
図２（ａ），（ｂ）はサマータイム開始時のＥＰＧ画像を示した図であり、（ａ）はＡＭ１：００〜ＡＭ３：００を示しており、（ｂ）はＡＭ２：００〜ＡＭ４：００を示している。
【００４７】
図２に示すように、ＥＰＧ画像は、各チャンネル毎の番組が時系列で表示されている時間割表示枠１００と、番組表の所定の位置を選択すると、その番組の内容を表示する番組内容表示枠１０１と、現在選択しているチャンネルの映像を表示する映像表示枠１０２とから構成されている。時間割表示枠１００は、横軸に時間が採られ、縦軸に複数のチャンネルが並び、各チャンネル毎の番組と放映時間とが表示されており、各番組のスペースには、番組名が表示されている。この番組表の上辺には、時刻が表示されており、この番組表枠を見ることで、ユーザは何時にどのチャンネルがどのような番組が放映されるかを確認する。番組内容表示枠１０１は、時間割表示枠１００でユーザから選択されている番組の内容、チャンネル、放映時間などの情報を、時間割表示枠１００とは異なる位置に表示する。これにより、ユーザは選択している番組の内容を詳細に知る。また、この番組内容表示枠１０１は、ユーザが視聴／録画予約を行うと、その内容を表示し、ユーザは表示された内容を見て、自分が設定した予約を確認する。
【００４８】
次に、サマータイム開始時のＥＰＧ画像の表示について説明する。
【００４９】
ＥＰＧ画像にサマータイム開始時を表示させる場合、すなわち、４月第１日曜日のＡＭ３：００以前（サマータイム開始まで）を表示させる場合には、図２（ａ）に示すように、表示画像のＡＭ２：００〜ＡＭ３：００の時間帯を、他の時間帯と異なる背景色で表示し、且つ「Ｄ．Ｓ．Ｔ．」と時間帯枠内に大きく表示する。そして、この時間帯内に、ＡＭ３：００〜ＡＭ４：００の番組表を半透過で表示する。例えば、図２（ａ）において、チャンネル８−１のＮＥＷＳはＡＭ１：３０から１時間放映されるのであるが、ＥＰＧ画像では、ＡＭ１：３０からＡＭ２：００までが普通に選択され、ＡＭ２：００から実際には存在しないＡＭ２：３０までを背景色の異なる部分（「Ｄ．Ｓ．Ｔ．」部）に半透過で表示する。ここで、選択された番組枠は他の部分や「Ｄ．Ｓ．Ｔ．」部と異なる色で表示する。また、ＡＭ２：００からＡＭ２：３０に前記「Ｄ．Ｓ．Ｔ．」を表示する。
【００５０】
そして、カーソルを移動させて、図２（ｂ）に示すようにＡＭ２：００〜ＡＭ４：００（サマータイム開始後）のＥＰＧ画面を表示すると、ＡＭ２：００〜ＡＭ３：００の時間帯は番組を表示せず、前記「Ｄ．Ｓ．Ｔ．」のみを表示する。
【００５１】
このようにして、サマータイム開始時に削除される時間があることを表示する。ここで、選択した番組がこの「Ｄ．Ｓ．Ｔ．」部を跨る場合には、ＡＭ２：００以前とＡＭ３：００以降の該当する番組部のみを選択する。
【００５２】
また、ＡＭ２：００とＡＭ３：００の時間表示を点滅させ、さらにＡＭ３：００の時間割表示枠１００の上部に、サマータイム開始時間を示す「Ｄ．Ｓ．Ｔ．ＳＴＡＲＴ」を表示する。また、番組内容表示枠１０１に、サマータイム時間での番組放映時間を表示する。
【００５３】
このようにＥＰＧ画像を表示することで、ユーザは、サマータイムが開始したこと、ＡＭ２：００〜ＡＭ３：００の１時間が削除されたこと、さらに、サマータイムでの番組放映時間を容易に且つ確実に知ることができる。また、サマータイムの開始に伴う、時間のズレを容易に認識できるので、ユーザは、この時間のズレによる番組開始時間のズレを正確に把握することができ、視聴／録画したい番組を見逃すことを防止することができる。
【００５４】
また、ユーザが内容確認や視聴／録画予約のため、時間割表示枠１００内の番組にカーソルを合わせようとする場合でも、背景色を異ならせたＡＭ２：００〜ＡＭ３：００の時間帯には、カーソルが移動しないようにする。すなわち、ＡＭ２：００以前で最後の番組を選択していて、次に時間の進む方向にカーソルを移動した場合、ＡＭ２：００〜ＡＭ３：００の時間帯を越え、ＡＭ３：００以降で最初の番組を選択する。また、前述の実際には存在しないＤ．Ｓ．Ｔ．時間を跨る番組は、Ｄ．Ｓ．Ｔ．時間の前後の番組枠を同時に選択し、表示する。
【００５５】
このような構成とすることで、ユーザがカーソルを移動させて、番組の内容を確認して、視聴／録画予約を行う場合にも、サマータイムの開始で削除させる時間帯を選択することなく、容易且つ確実に操作することできる。
【００５６】
次に、サマータイム終了時のＥＰＧ画像の表示について説明する。
【００５７】
図３（ａ）はサマータイムで１０月最終日曜日のＡＭ１：００（１回目）からＡＭ２：００の間の番組表を示したＥＰＧ画像であり、（ｂ）はＡＭ１：００（２回目）からＡＭ３：００の間の番組表を示したＥＰＧ画像である。
【００５８】
サマータイム終了時には、標準時間に合わせるために、ＡＭ１：００〜ＡＭ２：００が繰り返し２回存在し、１回目のＡＭ２：００が２回目のＡＭ１：００となる。この内容を表示するため、ＥＰＧ画像の時間割表示枠１００の上部の時間表示を、ＡＭ１：００（ＦＩＲＳＴ）、ＡＭ１：００（ＳＥＣＯＮＤ）、ＡＭ２：００、ＡＭ３：００と時系列に表示する。また、ＡＭ１：００（ＳＥＣＯＮＤ）の上部にサマータイム終了時間を示す「Ｄ．Ｓ．Ｔ．ＥＮＤ」を表示し、ＡＭ２：００を点滅する。さらに、ＡＭ１：００（ＦＩＲＳＴ）〜ＡＭ２：００の間の２時間がＤ．Ｓ．Ｔ．によるものであることを示すため、時間割表示枠１００の当該部分に「Ｄ．Ｓ．Ｔ．」と表示する。
【００５９】
また、ユーザがカーソルで選択した番組の開始または終了時間が、繰り返させる時間帯に係る場合は、番組内容表示枠１０１に、その時間が繰り返される時間のどちらの時間であるか、すなわち、１回目か２回目かを示すように、時間の前にＦＩＲＳＴ、ＳＥＣＯＮＤを表示する。例えば、図３（ａ）に示すように、チャンネル８−１のＳｈｏｐｐｉｎｇにカーソルを合わせると、この番組は２回目のＡＭ１：２０から２回目の２：００まで放映されるので、「ＳＥＣＯＮＤ　ＡＭ１：２０〜ＳＥＣＯＮＤ　ＡＭ２：００」と表示する。
【００６０】
このようにＥＰＧ画像を表示することで、ユーザは、サマータイムの終了を容易に且つ確実に知ることができる。
【００６１】
このＥＰＧ画像により、繰り返される時間帯に係る時間を開始または終了時間とする録画予約を設定した表示を図４に示す。
【００６２】
図４は録画予約を行った時のＥＰＧ画像を示す図である。
図４に示すように、チャンネル４において、１回目のＡＭ１：３０から２回目のＡＭ１：３０まで、放映されるＳｈｏｐｐｉｎｇ番組を、ユーザが予約すると、時間割表示枠１００の該当部を他の部分と異なる色で表示する。また、番組内容表示枠１０１に、図に示すように、チャンネル番号、番組内容、放映時間を表示する。ここで、放映時間は、単に「ＡＭ１：３０〜ＡＭ１：３０」と表示するのではなく、「ＦＩＲＳＴ　ＡＭ１：３０〜ＳＥＣＯＮＤ　ＡＭ１：３０」と表示する。この表示を見ることで、ユーザは、自分が行った予約内容について、その開始および終了時間が繰り返される時間帯の１回目の時間か２回目の時間かを容易に且つ確実に知ることができる。これにより、ユーザは自分が見たい番組を正確に見ることができるとともに、確実に視聴や録画の予約を行うことができる。
【００６３】
次に、視聴／録画予約を行う画像をＥＰＧ画像と別にした場合について説明する。
（１）サマータイム開始時
図５（ａ），（ｃ）は視聴／録画予約画像２００、（ｂ）は（ａ）に示す予約を行った場合のＥＰＧ画像を示す。
【００６４】
図５（ａ）に示すように、視聴／録画予約画像２００は、この画像が予約操作を行う画面であることを示す「Ｔｉｍｅｒ　ａｎｄ　Ｒｅｃ．」と、予約内容を表示する予約内容表示枠２０１と、表示された内容が、入力した内容と一致していれば選択する「ＯＫ」ボタン、予約を取り消す「ＣＡＮＣＥＬ」ボタンとが表示されている。
【００６５】
ここで、ユーザがサマータイム開始時に削除される時間を選択した場合、例えば、図５（ａ）に示すように、４月の第１日曜日（４月７日）、ＡＭ１：３０からＡＭ２：３０の、チャンネル６を録画予約した場合、図５（ｂ）に示すように、これに対応するチャンネルと時間帯とをＥＰＧ画像の時間割表示枠１００に表示する。ここで、サマータイム開始時には、ＡＭ２：００からＡＭ３：００は削除されるので、ＥＰＧ画像の時間割表示枠１００で、この予約に基づく時間帯は削除される時間帯に係ることを示すため、予約されたチャンネルの予約された時間帯を点滅する。また、番組内容表示枠１０１に、ＡＭ２：００〜ＡＭ３：００は存在しないこと、および予約を再度行わなければならないことを表示する。この番組内容表示枠１０１の内容は、図５（ｃ）に示すように視聴／録画予約画像２００の詳細表示枠２０２にも表示される。これにより、ユーザは、自分が行った設定が無効であり、再設定が必要であることを容易に且つ確実に知ることができる。
【００６６】
なお、上記の説明では、ＡＭ２：００〜ＡＭ３：００の時間を予約時間として設定することができる例を示したが、図６に示すように、予めＡＭ２：００〜ＡＭ３：００の時間帯を入力できないようにするとともに、ＡＭ３：００以降の設定時間にサマータイムであることを示す「Ｄ．Ｓ．Ｔ．」を表示する方法を用いてもよい。このような表示を行うことで、ユーザは削除される時間帯に予約を行うことなくなり、さらに容易に且つ確実に予約することができる。
【００６７】
（２）サマータイム終了時
図７（ａ），（ｃ）は視聴／録画予約画像２００、（ｂ）は（ａ）に示す予約を行った場合のＥＰＧ画像を示す。
ユーザがサマータイム終了時に繰り返される時間を選択した場合、例えば、図７（ａ）に示すように、１０月の最終日曜日（１０月２７日）、ＡＭ１：３０からＡＭ２：３０の、チャンネル６を録画予約した場合、図７（ｂ）に示すように、これに対応するチャンネルと時間帯とをＥＰＧ画像に表示する。ここで、サマータイム終了時には、ＡＭ１：００〜ＡＭ２：００が繰り返されることで２度存在するため、ＥＰＧ画像の時間割表示枠１００に、開始時間を１回目のＡＭ１：３０とし、終了時間をＡＭ２：３０として表示する。これと同時に、番組内容時間枠１０１に、開始時間が１回目のＡＭ１：３０なのか、２回目のＡＭ１：３０なのかを確認する内容を表示する。例えば、図７（ｂ）に示すように、ユーザが設定した時間帯に該当する時間帯の候補にそれぞれに選択岐をつけ、ユーザにどちらを意味して予約をしたかを選択させる。この内容は、視聴／録画予約画像２００にも表示され、ユーザはこの内容を見て、予約時間を再設定する。これにより、ユーザは、自分が行った設定が、サマータイムの終了により２種類の時間を意味することを容易に且つ確実に知ることができ、これを容易に修正することができる。
【００６８】
なお、上記の説明では、最初の予約設定時に、単に「ＡＭ１：３０」としか設定しない場合を示したが、図８に示すように、予め、時間設定時に、１回目か２回目かを示す「ＦＩＲＳＴ」、「ＳＥＣＯＮＤ」の表示をいれることもできる。これにより、ユーザは更に容易、且つ確実に予約を行うことができる。
【００６９】
【発明の効果】
この発明によれば、ＥＰＧ画像にサマータイム開始時に削除される時間帯を示す時刻表示を点滅させて、他の時刻と異ならせることによって、ユーザは当該時間帯がサマータイムの開始により削除されることを、容易に且つ確実に知ることができる。また、ＥＰＧ画像にサマータイムが始まる時間を意味する表示を行うことで、ユーザはサマータイムの開始時間を容易に且つ確実に知ることができる。さらに、サマータイムの開始時に、ＥＰＧ画像の番組時間表枠に削除される時間帯を他の時間帯と識別できるように表示することで、ユーザは、当該時間帯がサマータイムの開始により、削除されることをさらに容易に且つ確実に知ることができ、所望の番組を見逃すことがなくなる。また、ＥＰＧ画像の内容表示枠に、ユーザが削除される時間帯を開始および終了時間とする視聴／録画予約を行っても、当該予約時間が無効な時間であることを表示することで、ユーザは容易に予約時間が無効であることを確認できるとともに、即座に予約の変更を行うことができる。また、予約が無効な時間を示したことにより、ユーザの意に異なる時間帯で録画を始めるなどの予約が有効になることを防止することができる。
【００７０】
また、この発明によれば、視聴／録画予約画像をＥＰＧ画像とは別に設け、ユーザが削除される時間を予約の開始または終了時間とした場合に、当該時間が存在しないことを視聴／録画予約画像に表示することで、ユーザは予約が無効で、再予約しなければならないことを、容易に且つ確実に知ることができる。
【００７１】
また、この発明によれば、ＥＰＧ画像にサマータイム終了時に繰り返される時間帯を連続した時間で表示することで、ユーザは、サマータイムの終了に伴い、繰り返される時間帯が存在することを容易に且つ確実に知ることができる。また、ＥＰＧ画像の時刻表示に、該当する時間が二つあることを示すことで、ユーザはさらに容易に且つ確実に知ることができる。また、ＥＰＧ画像の内容表示枠に、ユーザが繰り返される時間帯を開始および終了時間とする視聴／録画予約を行っても、当該予約時間がどちらの時間であるかを表示することで、ユーザは容易に、且つ確実に予約の変更を行うことができる。
【００７２】
また、この発明によれば、視聴／録画予約画像をＥＰＧ画像とは別に設け、繰り返される時間を予約の開始または終了時間とした場合に、当該時間が２回あることを視聴／録画予約画像に表示することで、ユーザは予約が無効で、再予約しなければならないことを、容易に且つ確実に知ることができる。
【図面の簡単な説明】
【図１】本願に係る映像信号受信装置のブロック図
【図２】サマータイム開始時のＥＰＧ画像を示した図
【図３】サマータイム終了時のＥＰＧ画像を示した図
【図４】サマータイム終了時にＥＰＧ画像を利用して予約設定を行った場合の画像を示した図
【図５】サマータイム開始時に視聴／録画予約表示枠を用いて予約した場合の画像を示した図
【図６】サマータイム開始時に視聴／録画予約表示枠を用いて他の方法で予約した場合の画像の一部を示した図
【図７】サマータイム終了時に視聴／録画予約表示枠を用いて予約した場合の画像を示した図
【図８】サマータイム終了時に視聴／録画予約表示枠を用いて他の方法で予約した場合の画像の一部を示した図
【図９】サマータイム時間と標準時間との関係を示した図
【図１０】ＥＰＧ画像の一例を示した図
【図１１】従来の標準時間で時間表示を行ったサマータイム開始時間付近のＥＰＧ画像を示した図
【図１２】従来の標準時間で時間表示を行ったサマータイム終了時間付近のＥＰＧ画像を示した図
【符号の説明】
１−映像信号受信装置
２−信号抽出部
３−アナログ映像復調部
４−ディジタル映像復調部
５−ＥＰＧ画像生成部
６−映像出力部
７−時間管理部
８−命令入力部
９−制御部
１００−時間割表示枠
１０１−番組内容表示枠
１０２−映像表示枠
２００−視聴／録画予約画像
２０１−予約内容表示枠
２０２−詳細表示枠
【図１】
2004023268.tif 000003
【図２】
2004023268.tif 000004
【図３】
2004023268.tif 000005
【図４】
2004023268.tif 000006
【図５】
2004023268.tif 000007
【図６】
2004023268.tif 000008
【図７】
2004023268.tif 000009
【図８】
2004023268.tif 000010
【図９】
2004023268.tif 000011
【図１０】
2004023268.tif 000012
【図１１】
2004023268.tif 000013
【図１２】
2004023268.tif 000014